(57)【要約】【課題】ささら桁を必要としない階段の段板支持構造であって、構造物としての意匠性を備えた階段を形成することを可能とするものを提案する。【解決手段】段板１１の下面に形成された凹部１１ａに支持部材１３の段板側固定部１３ｃを嵌入固定し、壁２３の壁下地１４に形成された凹部１４ａに支持部材１３の壁下地側固定部１３ｂを嵌入固定し、壁下地１４及び支持部材１３の壁下地側固定部１３ｂに壁材１２を張設するとともに、段板１１及び支持部材１３の段板側固定部１３ｃにカバー１６を張設した。また、段板１１の下面に、蹴込板２４の上辺を挿入可能な溝１１ｂを形成して、蹴込板２４を着脱可能とした。【選択図】図２
2005273193.tif 000002
【特許請求の範囲】
【請求項１】
略垂直面を備える壁下地側固定部と略水平面を備える段板側固定部とから成る支持部材を介して、階段を構成する段板の端部を、階段室を形成する壁の壁下地に固定し、
壁下地及び支持部材の壁下地側固定部に壁材を張設するとともに、段板及び支持部材の段板側固定部にカバーを張設することを特徴とする段板支持構造。
【請求項２】
前記段板の下面に凹部を形成し、該凹部に支持部材の段板側固定部を嵌入固定して、段板下面と支持部材の段板側固定部とが略同一平面に位置するものとし、
前記壁の壁下地に凹部を形成し、該凹部に支持部材の壁下地側固定部を嵌入固定し、壁下地表面と支持部材の壁下地側固定部とが略同一平面に位置するものとする、
請求項１に記載の段板支持構造。
【請求項３】
前記支持部材の段板側固定部は、平面視において端側角部を面取り形状とする、
請求項１又は請求項２に記載の段板支持構造。
【請求項４】
前記段板下面に、蹴込板の上辺を挿入可能な溝を形成する、
請求項１乃至請求項３のいずれかに記載の段板支持構造。
【発明の詳細な説明】
【技術分野】
【０００１】
本発明は、住宅等の建築物における階段の段板の支持構造に関する。
【背景技術】
【０００２】
従来、複数階に構成される住宅等に設けられる階段は、左右一対のささら桁（側板）間に複数の段板を架設し、各段板間にそれぞれ蹴込板を配設した構造を備えている。ささら板は、階段室を形成する左右の壁に支持固定されている。
ささら桁が取り付けられる壁には、階段の昇降や階段の自重による鉛直方向の荷重が加わるため、他の部分の壁よりも厚く形成したり柱数を多くしたりするなどして、階段を支持するために必要な強度を確保するようにしている。
【０００３】
前述の如く構成される階段では、階段を支持する壁よりもささら桁が階段内側へ突出した状態に固定されることが一般的である。
従って、段板の左右両端に設けられたささら桁によって階段室の壁と壁との間の長さよりも段板の左右幅が小さくなることになる。また、ささら桁も階段室内に露出するため、意匠性を備えるために化粧したものとする必要があった。このように、ささら桁は階段に強度を備えるために必要とされるものであるが、階段の構造の自由性の幅を狭め、また、階段の意匠の自由性の幅を狭めることになっていた。
【０００４】
そこで、ささら桁を不要とした階段の構造が提案されている。例えば、特許文献１や特許文献２に記載の技術である。
特許文献１では、階段を構成する空間を形成する壁面に、略Ｌ字状の支持部材とその補強部材とで、直接階段の段板を固定して、ささら桁を不要とした技術が提案されている。
また、特許文献２では、段板の少なくとも一方の端部を階段を構成する空間を形成する壁体内に挿入して、この端部が壁体を構成する心材に支持される構成として、ささら桁を不要とした技術が提案されている。
【０００５】
【特許文献１】実開平９−３７１号公報
【特許文献２】特開２００３−１７６６０９号公報
【発明の開示】
【発明が解決しようとする課題】
【０００６】
階段は、階の上下を昇降可能とする機能を有する構造物であるが、この基本的機能に加え、室内空間に設けられる構造物として意匠性・インテリア性を備えることが好ましい。すなわち、階段を内装の一部として設えることによって、室内空間のインテリア性が高められるのである。
上記従来技術において、特許文献１では、支持部材（支持金具）を用いることによって施工が容易であり段板を支持するために十分な強度を有する段板の支持構造が提案されているが、階段を正面から見た場合、支持部材が階段の外観上に露出することになり、高い意匠性を備えるためには改善の余地が残されている。また、特許文献２では、段板の端部が壁内部に挿入され壁にて段板が支持される構造が提案されているが、施工のためには段板を支持する壁の内部構造が複雑となってしまうため、特に、リフォーム等においては施工が困難である。
そこで、本発明では、上記従来技術を鑑み、ささら桁を必要としない階段の段板支持構造であって、構造物としての意匠性を備えた階段を形成することを可能とするものを提案する。
【課題を解決するための手段】
【０００７】
本発明の解決しようとする課題は以上の如くであり、次にこの課題を解決するための手段を説明する。
【０００８】
即ち、請求項１においては、略垂直面を備える壁下地側固定部と略水平面を備える段板側固定部とから成る支持部材を介して、階段を構成する段板の端部を、階段室を形成する壁の壁下地に固定し、壁下地及び支持部材の壁下地側固定部に壁材を張設するとともに、段板及び支持部材の段板側固定部にカバーを張設する段板支持構造である。
【０００９】
請求項２においては、前記段板の下面に凹部を形成し、該凹部に支持部材の段板側固定部を嵌入固定して、段板下面と支持部材の段板側固定部とが略同一平面に位置するものとし、前記壁の壁下地に凹部を形成し、該凹部に支持部材の壁下地側固定部を嵌入固定し、壁下地表面と支持部材の壁下地側固定部とが略同一平面に位置するものとするものである。
【００１０】
請求項３においては、前記支持部材の段板側固定部は、平面視において端側角部を面取り形状とするものである。
【００１１】
請求項４においては、前記段板下面に、蹴込板の上辺を挿入可能な溝を形成するものである。
【発明の効果】
【００１２】
本発明の効果として、以下に示すような効果を奏する。
【００１３】
請求項１においては、段板を支持部材を介して壁下地に固定するのでささら桁を要せず、構成及び意匠の自由度の高い階段を構成することができる。段板を支持する壁と壁との間には、段板以外のものが見えない状態となるので、すっきりとした印象の階段となる。
【００１４】
請求項２においては、壁材及びカバーで、壁の表面及び段板の表面に凹凸を作ることなく支持部材を隠蔽することができる。
【００１５】
請求項３においては、段板に略水平方向の荷重が加わったときに支持部材の角によって段板が削れたり変形したりしないので、良好な固定状態を維持することができる。
【００１６】
請求項４においては、階段の施工時のみならず、施工後であっても、必要に応じて蹴込板を段板間に取り付けたり、蹴込板を段板間から取り外したりすることができる。
【発明を実施するための最良の形態】
【００１７】
次に、発明の実施の形態を説明する。
図１は本発明の実施例に係る階段の様子を示す図、図２は段板の支持構造を示す正面断面図、図３は段板の支持構造を示す平面断面図、図４は段板の支持構造を示す側面断面図である。図５は蹴込板を取り付けた階段の様子を示す図、図６は蹴込板の取付構造を示す側面断面図である。
【００１８】
図１に示す如く、本発明に係る段板支持構造では、階段１０を構成する段板１１・１１・・・が、ささら桁を用いることなく壁２３・２３に支持されている。
段板１１は、階段１０のための空間である階段室を形成する左右の壁２３・２３の間に架設される。階段１０を構成する複数の段板１１・１１・・・は、その左右両端が支持部材１３・１３を介して壁２３・２３に固定されている。これらの支持部材１３・１３は、階段１０の外観に露出することのないように、隠蔽されている。
【００１９】
上述の如く設けられる階段１０では、左右の壁２３・２３で構成された階段室には段板１１・１１・・・のみが存在するように見えることになる。
従って、ささら桁や蹴込板を備える従来の階段と比較して、階段室にすっきりとした現代的な印象を与え、階段１０を昇降のための機能を有する建築の構成要素としてだけでなく、意匠性の高いインテリアの一つとしてみなすことができる。
また、階段１０の下に、窓等の開口部を設けたときには、階段１０下方からより多くの採光量を得ることができる。これにより、閉塞され暗くなりがちな階段１０の空間を、より明るいものとすることができる。
【００２０】
ここで、前記段板支持構造について詳細に説明する。
図２乃至図４に示す如く、段板１１を固定する壁２３・２３は、その表層部が外側から壁材１２、壁下地１４の順に構成されている。すなわち、壁２３は鉄骨等のフレーム材（図示せず）に壁下地１４が固設され、該壁下地１４に壁材１２が張設されている。壁下地１４に支持部材１３が固定され、該支持部材１３に段板１１が固定されて、壁下地１４に支持部材１３を介して段板１１が支持されている。
【００２１】
前記支持部材１３は、正面視略Ｌ字状に構成された金物であり、略垂直面が形成されている壁下地側固定部１３ｂと、略水平面が形成されている段板側固定部１３ｃとが、一体的に構成されている。
前記壁下地側固定部１３ｂは、略矩形状板であって、壁下地１４に支持部材１３を固定するための締結孔１３ａが複数設けられている。これらの締結孔１３ａは、全てを使用することもできるし、そのうち複数を使用することもでき、締結孔１３ａに挿通される締結手段の強度や大きさ、壁下地１４の状況、取り付け位置等に応じて、適宜使い分けることができる。
【００２２】
前記段板側固定部１３ｃは、略半円状板であって、段板１１に支持部材１３を固定するための複数の締結孔１３ｄが設けられている。
段板側固定部１３ｃは、平面視において端部側に位置する角部を面取り形状としている。本実施例においては、段板側固定部１３ｃは、平面視において面取り形状としての略半円状として、段板１１との当接部に角を形成しないことで、昇降時に略垂直方向の荷重のみならず、略水平方向の荷重が段板１１に加わるが、この略水平方向の荷重が加わったときに角によって段板１１が削れて変形しないようにしている。これにより、段板１１と支持部材１３との良好な固定状態の維持が図られ、長期の使用においても軋みや緩みの発生の抑制が図られている。
【００２３】
一方、支持部材１３の壁下地側固定部１３ｂが固定される壁下地１４には、その固定箇所に壁下地側固定部１３ｂが嵌設可能な形状の凹部１４ａが形成されている。そして、支持部材１３が該凹部１４ａに嵌め込まれた状態で、壁下地側固定部１３ｂと壁下地１４との表面が同一平面となるように凹部１４ａの深さが決定されている。
また、支持部材１３の段板側固定部１３ｃが固定される段板１１には、その固定箇所に段板側固定部１３ｃが嵌設可能な形状の凹部１１ａが形成されている。そして、支持部材１３が該凹部１１ａに嵌め込まれた状態で、段板側固定部１３ｃと段板１１の下面とが同一平面となるように凹部１１ａの深さが決定されている。
【００２４】
続いて、段板１１の施工方法について説明する。
まず、壁下地１４に支持部材１３を固定する。
壁下地１４に形成された凹部１４ａに、支持部材１３の壁下地側固定部１３ｂを嵌合させて位置を合わせ、締結孔１３ａ・１３ａ・・・に締結手段としてのビス２０・２０やボルト２１・２１等を挿通させて、支持部材１３と壁下地１４とを締結する。
【００２５】
次に、支持部材１３に段板１１を固定する。
段板１１に形成された凹部１１ａに、支持部材１３の段板側固定部１３ｃを嵌合させて位置を合わせ、締結孔１３ｄ・１３ｄ・・・に締結手段としてのビス１９・１９・・・を挿通させて、支持部材１３と段板１１とを締結する。なお、凹部１１ａに段板側固定部１３ｃを嵌合させる際に、凹部１１ａと段板側固定部１３ｃとの間に、シート状緩衝材１７及び接着剤１８を介装させる。
【００２６】
上述の如く壁下地１４に、支持部材１３を介して段板１１が支持されたうえで、支持部材１３を階段１０の外観から隠蔽する。
壁下地１４には、支持部材１３の壁下地側固定部１３ｂを覆うように壁材１２が張設される。壁材１２は壁２３の他の部分と同意匠のものが採用される。なお、階段１０を新規の建物に備える場合は、壁下地１４に全ての支持部材１３・１３・・・を固定させてから、壁２３に壁材１２を張設することが好ましい。
また、段板１１の下面には、支持部材１３の段板側固定部１３ｃを覆うようにカバープレート１６が張設される。また、ビス１９の頭部にはキャップ１５が被される。カバープレート１６及びキャップ１５は、段板１１と略同様の色や模様のものを採用し、段板１１の他の部分と差異のないようにする。なお、カバープレート１６は本実施例では板状としているが、シート状のものを採用することもできる。
【００２７】
上述の如く支持部材１３が隠蔽されるため、壁２３と壁２３との間に存在するものが、複数の段板１１・１１・・・のみであるように見えるので、段板１１の収まりがすっきりしたものとなる。すなわち、従来の階段の構成要素であるささら桁がなく、段板１１を壁２３に固定するための支持部材１３も外観上は隠蔽されているため、壁２３と壁２３との間に見えるのは段板１１・１１・・・のみとなるのである。
さらに、階段１０下に窓等の開口部を設けると、従来のささら桁や蹴込板等を備えた階段と比較して、開口部から階段１０上方へ漏れ出る光の量が多くなり、効果的である。また、同様に、階段１０下から階段１０上へ抜ける風路が形成され、風通しを良好なものとすることができる。
【００２８】
なお、階段１０には、図５に示す如く、事後的に蹴込板２４を取り付けることができる。
図４に示す如く、段板１１の下面には、蹴込板２４を挿入固定するための溝１１ｂが形成されている。そして、図６に示す如く、溝１１ｂに蹴込板２４を挿入することによって、蹴込板２４の上辺が段板１１の下面に固定される。また、蹴込板２４の下辺は、接着剤や螺子や釘等の固定手段にて、下方に位置する段板１１に固定される。
【００２９】
上述のように蹴込板２４を取り付けることができるので、同一構成の階段１０の構成要素を用いて、蹴込板２４があるタイプと、蹴込板２４がないタイプとの、二種類の階段１０を構成することができるので、階段１０の構成要素の汎用性を高めることができる。
また、事後的に蹴込板２４を取り付けたり取り外したりすることができるので、ライフスタイルに応じて、例えば、子供の成長に応じて蹴込板２４を取り外すというように、蹴込板２４の脱着を行うことができる。
【図面の簡単な説明】
【００３０】
【図１】本発明の実施例に係る階段の様子を示す図。
【図２】段板の支持構造を示す正面断面図。
【図３】段板の支持構造を示す平面断面図。
【図４】段板の支持構造を示す側面断面図。
【図５】蹴込板を取り付けた階段の様子を示す図。
【図６】蹴込板の取付構造を示す側面断面図。
【符号の説明】
【００３１】
１０  階段
１１  段板
１１ａ  凹部
１１ｂ  溝
１２  壁材
１３  支持部材
１３ｂ  壁下地側固定部
１３ｃ  段板側固定部
１４  壁下地
１４ａ  凹部
１５  キャップ
１６  カバープレート
２４  蹴込板
【図１】
2005273193.tif 000003
【図２】
2005273193.tif 000004
【図３】
2005273193.tif 000005
【図４】
2005273193.tif 000006
【図５】
2005273193.tif 000007
【図６】
2005273193.tif 000008